(57)【要約】  【課題】  電装ボックスを、室外機の背面に取り付けるようにしながら、電装ボックス内の電装部品が雨水による影響を受けないようにするとともに、電装ボックス内の通気性を高めて電装部品の放熱を促進する。  【解決手段】  室外機の背面に縦長矩形箱体状の電装ボックス１５が取り付けられ、その電装ボックスは、下部に多数の通気孔１７Ａが設けられた通気孔部１７が形成されると共に上部を無孔部１８と成した左右の両側板１５Ｃ、１５Ｄを有し、両側板の内側には両側板と所定の通気間隔Ｙを存して左右一対の防水壁１９Ａ、１９Ｂが上下方向に設けられ、これら左右一対の防水壁の内側に位置させて電装基板２２を配置する構成であり、左右一対の防水壁は、両側板下部の通気孔部と対峙する部分を防水壁側無孔部２３と成すと共に、両側板上部の無孔部に対峙する部分に多数の内側通気孔２４Ａを設けた防水壁側通気孔部２４を形成している。【選択図】  図５
2007017037.tif 000002
【特許請求の範囲】
【請求項１】
室内に設置される室内機と、室外に設置され、前記室内機に冷媒配管で接続される室外機と備えた空気調和装置において、
前記室外機は、圧縮機、室外側熱交換器及び室外側送風機を内蔵したケース本体の背面に、空気調和装置用電装部品が搭載された電装基板を収容する縦長矩形箱体状の電装ボックスが取り付けられ、
前記電装ボックスは、下部に多数の通気孔が設けられた通気孔部が形成されると共に上部を無孔部と成した左右の両側板を有し、これら両側板の内側にはその両側板とそれぞれ所定の通気間隔を存して左右一対の防水壁が上下方向に設けられ、これら左右一対の防水壁の内側に位置させて前記電装基板を配置する構成とし、かつ、前記左右一対の防水壁は、前記両側板下部の通気孔部と対峙する部分を防水壁側無孔部と成すと共に、前記両側板上部の無孔部に対峙する部分に多数の内側通気孔を設けた防水壁側通気孔部を形成して成ることを特徴とする空気調和装置。
【請求項２】
前記電装ボックスは、少なくとも一方の側板を、前記室外機におけるケース本体の背面の空気吸込み領域に臨ませる構成としたことを特徴とする請求項１に記載の空気調和装置。
【請求項３】
前記電装基板に搭載された空気調和装置用電装部品がソーラパネルに電気的に接続されるコンバータを含む電装部品であることを特徴とする請求項１に記載の空気調和機用電装装置。
【発明の詳細な説明】
【技術分野】
【０００１】
本発明は、室内に設置する室内機と屋外に設置する室外機とを冷媒配管で接続した分離型の空気調和装置に関し、特に室外機の背面に取り付ける構成の電装ボックスに関する。
【背景技術】
【０００２】
この種の空気調和装置において、室外機の上方に、太陽光を利用して発電を行うソーラパネルが設置され、このソーラパネルが接続ケーブルを介して室外機内の上部に配置された電気部品や電装基板等の電装部品と電気的に接続される形態のものが知られている（例えば、特許文献１参照）。
【０００３】
上述した従来構成のものでは、電装部品が室外機の内部に配置されているため、ソーラパネルを備えない機種にソーラパネルを付加する場合、ソーラパネル関係の電装部品を室外機内の電装部に組み込む必要があり、その組み立てが面倒であると共に、ソーラパネル関係の電装部品を組み込むための基板部分や組み込み空間を予め準備しておく必要がある。
【特許文献１】特開２００２−１６８４９８号公報
【発明の開示】
【発明が解決しようとする課題】
【０００４】
上記の特許文献１に記載されたように、ソーラパネル関係の電装部品を室外機の内部に配した電装部に組み込むのではなく、電装ボックスを別に用意し、この電装ボックス内にソーラパネル関係の電装部品を組み込み、そして、この電装ボックスを室外機のケース本体の背面に取り付けるようにすることが考えられる。このようにすれば、ソーラパネルを備えない機種に、ソーラパネルを付加する場合でも、ソーラパネル関係の電装部品の取り付けが容易となり、しかも、ソーラパネル関係の電装部品の修理点検も容易となる。
【０００５】
本発明は、上述の点に鑑みてなされたものであり、電装部品が収納された電装ボックスを、室外機におけるケース本体の背面に取り付けるようにしながら、電装ボックス内に収納した電装部品が雨水による影響を受けないようにするとともに、電装ボックス内の通気性を高めて電装部品の放熱を促進することを目的としている。
【課題を解決するための手段】
【０００６】
請求項１に記載の発明は、室内に設置される室内機と、室外に設置され、前記室内機に冷媒配管で接続される室外機と備えた空気調和装置において、前記室外機は、圧縮機、室外側熱交換器及び室外側送風機を内蔵したケース本体の背面に、空気調和装置用電装部品が搭載された電装基板を収容する縦長矩形箱体状の電装ボックスが取り付けられ、前記電装ボックスは、下部に多数の通気孔が設けられた通気孔部が形成されると共に上部を無孔部と成した左右の両側板を有し、これら両側板の内側にはその両側板とそれぞれ所定の通気間隔を存して左右一対の防水壁が上下方向に設けられ、これら左右一対の防水壁の内側に位置させて前記電装基板を配置する構成とし、かつ、前記左右一対の防水壁は、前記両側板下部の通気孔部と対峙する部分を防水壁側無孔部と成すと共に、前記両側板上部の無孔部に対峙する部分に多数の内側通気孔を設けた防水壁側通気孔部を形成して成ることを特徴とする。
【０００７】
請求項２に記載の発明は、請求項１に記載の空気調和装置において、前記電装ボックスは、一方の側板を、前記室外機におけるケース本体の背面の空気吸込み領域に臨ませる構成としたことを特徴とする請求項１に記載の空気調和装置。
【０００８】
請求項３に記載の発明は、請求項１に記載の空気調和装置において、前記電装基板に搭載された空気調和装置用電装部品がソーラパネルに電気的に接続されるコンバータを含む電装部品であることを特徴とする。
【発明の効果】
【０００９】
請求項１に記載の本発明においては、電装ボックスの側板下部の通気孔部から電装ボックス内に浸入した雨水は、防水壁下部の防水壁側無孔部に突き当たり、その防水壁の外側表面を伝って流下して電装ボックスの外部へ排水されるので、電装ボックス内に侵入した雨水によって空気調和装置用電装部品やそれを搭載した電装基板が濡れてしまう心配が無く、電装ボックス内に収納した電装部品が雨水による影響を受けないようできる。また、電装ボックス内には、側板下部の通気孔と防水壁上部の防水壁側通気孔を通って空気の流れが生じ、その空気流によって、電装基板に搭載された空気調和装置用電装部品の冷却や放熱が効率良く促進されるため、電装部品の過熱防止効果を高めることができる。
【００１０】
請求項２に記載の本発明においては、電装ボックスは、一方の側板を、前記室外機におけるケース本体の背面の空気吸込み領域に臨ませる構成としたので、室外機の運転により、この室外機内に吸い込まれる空気の吸引力が電装ボックスの内部に作用し、電装ボックス内に強制的に空気の流れを生じさせることができる。
【００１１】
請求項３に記載の本発明においては、室外機とは別にソーラパネルを設置してこのソーラパネルの電力を利用する場合、室外機に収容される電装基板を交換することなく、ソーラパネル用電装ボックスを設置することが可能となり、ソーラパネルの発電を利用した環境に優しい電力の供給が行える。
【発明を実施するための最良の形態】
【００１２】
本発明の空気調和装置は、室内に設置される室内機と、室外に設置され、前記室内機に冷媒配管で接続される室外機と備えた空気調和装置において、前記室外機は、圧縮機、室外側熱交換器及び室外側送風機を内蔵したケース本体の背面に、空気調和装置用電装部品が搭載された電装基板を収容する縦長矩形箱体状の電装ボックスが取り付けられ、前記電装ボックスは、下部に多数の通気孔が設けられた通気孔部が形成されると共に上部を無孔部と成した左右の両側板を有し、これら両側板の内側にはその両側板とそれぞれ所定の通気間隔を存して左右一対の防水壁が上下方向に設けられ、これら左右一対の防水壁の内側に位置させて前記電装基板を配置する構成とし、かつ、前記左右一対の防水壁は、前記両側板下部の通気孔部と対峙する部分を防水壁側無孔部と成すと共に、前記両側板上部の無孔部に対峙する部分に多数の内側通気孔を設けた防水壁側通気孔部を形成して成る構成であり、以下に本発明の実施形態について説明する。
【実施例１】
【００１３】
次に、本発明の実施の形態について説明すると、図１は本発明の実施形態を空気調和装置の室外機の上方にソーラパネルを設置した状態の構成図、図２は電装ボックス単体の斜視図、図３は前板を外して電装基板を電装ボックス内にセットする状態を説明する説明図、図４は電装ボックスを空気調和機の室外機背面に取り付ける状態の分解斜視図、図５は電装ボックス内の空気の流れを説明する説明図である。
【００１４】
以下、本発明の実施例について図１〜図５に基づき説明すると、図１に示すように、空気調和装置１は、室内の壁面に設置されてその設置した部屋の冷暖房或いは除湿などの空調運転を行う室内機２と、屋外に設置されて前記室内機２と冷媒配管３で接続される室外機４とで構成されている。前記室外機４の上方には、ソーラパネル（太陽電池パネル）５が支持具６を介して設置されている。
【００１５】
前記ソーラパネル５の支持具６は、それの下部が前記室外機４の上部に固定されており、前記ソーラパネル５の受光面が太陽光を効率良く受けるように、ソーラパネル５の設置角度を調節可能に構成している。
【００１６】
前記室内機２は、室内空気を吸い込む前部吸い込み口７及び上部吸い込み口８と、室内側熱交換器との熱交換で調和された空気を室内へ吹き出す吹き出し口９とを有し、その内部には、冷房運転時に冷媒を蒸発させて冷却機能を発揮する室内側熱交換器（図示せず）と、その室内側熱交換器を室内空気と熱交換させるためのクロスフローファンを有する室内側送風機（図示せず）とが収納されている。
【００１７】
前記室外機４は、それのケース本体４Ａ内に、冷媒を圧縮する圧縮機（図示せず）と、冷房運転時には冷媒を凝縮させる機能を発揮する室外側熱交換器（図示せず）と、その室外側熱交換器に屋外空気を熱交換させるためのプロペラファンを有する室外側送風機（図示せず）とが収納されている。
【００１８】
前記室内機２と室外機４には、それぞれの制御に関連する電装部品を取り付けたプリント基板（共に図示せず）が、それぞれ収納状態に取り付けられている。また、前記室外機４には、図４に示すように、多数の空気吸い込み口１０、１０が設けられたケース本体４Ａの背面１１に、保持具１２及び複数のビス１３、１４を介して電装ボックス１５を取り付けている。
【００１９】
前記保持具１２は、略Ｌ字状に形成されて室外機４のケース本体４Ａにビス１６、１６止めされる取り付け部１２Ａ及び保持主体と１２Ｂと、この保持主体１２Ｂの上部に折曲形成された上部保持片１２Ｃと、保持主体１２Ｂの下部に折曲形成された下部保持片１２Ｄと、固定用垂直片１２Ｅとで構成され、板金で一体に作られている。
【００２０】
前記電装ボックス１５は、図１に示すようなソーラパネル５にかかわる電気回路を構成する複数の電装部品２１、２１を含んで収納している。また、前記電装ボックス１５は、ステンレス鋼板などの薄板を用いて作られており、前板１５Ａ、背板１５Ｂ、左右両側板１５Ｃ、１５Ｄ、天板１５Ｅ及び底板１５Ｆにて縦長矩形箱体状に形成されている。そして、前板１５Ａと底板１５Ｆとは一体に折曲形成して蓋体Ｆを構成し、この蓋体Ｆは、複数のビス２６、２６を用いて、背板１５Ｂ、左右両側板１５Ｃ、１５Ｄ及び天板１５Ｅにて構成された前面及び底面開放のボックス本体Ｇに着脱自在に取り付けられている。
【００２１】
また、前記電装ボックス１５は、前記保持具１２の上部保持片１２Ｃと下部保持片１２Ｄとの間に横スライドによって取り付けられ、前記左方の側板１５Ｃの下端に一体に設けられた固定片１５Ｇを前記固定用垂直片１２Ｅに重ねた状態でネジ１３にて締着すると共に、前記上部保持片１２Ｃと電装ボックス１５の天板１５とを重ねた状態でネジ１４、１４にて締着することにより、室外機４におけるケース本体４Ａの背面１１に取り付けられる構成である。
【００２２】
更に、前記電装ボックス１５は、保持具１２に保持された状態において、図５に示すように、右方の側板１５Ｄが室外機４におけるケース本体４Ａの背面１１の空気吸い込み領域Ｘに臨まされるものである。
【００２３】
前記電装ボックス１５における左右の両側板１５Ｃ、１５Ｄには、それらの下部にそれぞれ多数の通気孔１７Ａ、１７Ａが設けられた通気孔部１７が形成されると共に、それらの上部に通気孔の無い無孔部１８がそれぞれ形成されている。
【００２４】
また、前記左右の両側板１５Ｃ、１５Ｄの内側には、それら両側板１５Ｃ、１５Ｄとそれぞれ所定の通気間隔Ｙを介在させて左右一対の防水壁１９Ａ、１９Ｂが上下方向に、かつ、左右の両側板１５Ｃ、１５Ｄと平行に設けられ、これら防水壁１９Ａ、１９Ｂの内側に位置させて左右一対のレール部材２０Ａ、２０Ｂが上下方向に設けられている。そして、前記レール部材２０Ａ、２０Ｂには、空気調和装置用電装部品２１、２１を搭載した電装基板２２が上下スライド自在に支持される構成となっている。
【００２５】
前記電装基板２２に搭載された空気調和装置用電装部品２１、２１は、前記ソーラパネル５に電気的に接続され、このソーラパネル５の発電電力を昇圧するＤＣ−ＤＣコンバータを含んでいる。ここで、２５、２５は、前記ソーラパネル５と前記電装基板２２とを接続する電気配線を示している。
【００２６】
前記左右一対の防水壁１９Ａ、１９Ｂは、図５に示すように、上下両端部がそれぞれ前記天板１５Ｅと底板１５Ｆとに当接或いは近接しており、更に、それらの後端部は前記背板１５Ｂにスポット溶接などで固着され、前端部が前板１５Ａに当接或いは近接している。
【００２７】
また、前記左右一対の防水壁１９Ａ、１９Ｂは、前記両側板１５Ｃ、１５Ｄの下部の通気孔部１７と対峙する部分を、通気孔の無い防水壁側無孔部２３と成すと共に、両側板１５Ｃ、１５Ｄの上部の無孔部１８に対峙する部分に多数の内側通気孔２４Ａ、２４Ａを設けて防水壁側通気部２４、２４をそれぞれ形成している。
【００２８】
上記実施例においては、電装ボックス１５は、下部に多数の通気孔１７Ａ、１７Ａが設けられた通気孔部１７が形成されると共に上部を無孔部１８と成した左右の両側板１５Ｃ、１５Ｄを有し、これら両側板１５Ｃ、１５Ｄの内側にはその両側板１５Ｃ、１５Ｄとそれぞれ所定の通気間隔を存して左右一対の防水壁１９Ａ、１９Ｂが上下方向に設けられ、これら左右一対の防水壁１９Ａ、１９Ｂの内側に位置させて空気調和装置用電装部品２１を搭載した電装基板２２を配置する構成である。そのため、両側板１５Ｃ、１５Ｄの通気孔１７Ａ、１７Ａから電装ボックス１５内に侵入した雨水は、防水壁１９Ａ、１９Ｂの下部の防水壁側無孔部２３、２３に突き当たり、その防水壁１９Ａの外側表面を伝って底板１５Ｆ上に流下し、その雨水は、底板１５Ｆの水抜き用の孔（図示せず）や隙間などを通って電装ボックス１５の外部へ排水され、電装ボックス１５内に侵入した雨水が、電装基板２２やそれに搭載されている電装部品２１を濡らすのを防止することができる。
【００２９】
また、前記左右一対の防水壁１９Ａ、１９Ｂは、両側板１５Ｃ、１５Ｄ下部の通気孔部１７と対峙する部分を防水壁側無孔部２３と成すと共に、両側板１５Ｃ、１５Ｄ上部の無孔部１８に対峙する部分に多数の内側通気孔２４Ａ、２４Ａを設けた防水壁側通気孔部２４、２４を形成して成る構成であるから、図５に示すように、電装ボックス１５内には、両側板１５Ｃ、１５Ｄ下部の通気孔１７Ａ、１７Ａと防水壁１９Ａ、１９Ｂ上部の内側通気孔２４Ａ、２４Ａを通って空気の流れが生じ、その空気流によって、空気調和装置用電装部品２１の冷却や放熱が効率良く促進されるため、電装部品２１の過熱防止効果を高めることが可能となる。
【００３０】
また、電装ボックス１５は、一方（右方）の側板１５Ｄを、前記室外機４におけるケース本体４Ａの背面１１の空気吸込み領域Ｘに臨ませる構成としたので、室外機４の室外送風機（図示せず）の運転によって、この室外機４内に吸い込まれる空気の吸引力が、電装ボックス１５内に作用するため、電装ボックス１５内に強制的に空気の流れを生じさせることができる。
【００３１】
また、前記電装基板２２に搭載された空気調和装置用電装部品２１、２１は、前記ソーラパネル５に電気的に接続されるコンバータを含んでいる構成であるから、室外機４とは別にソーラパネル５を設置してこのソーラパネル５の電力を利用する場合、室外機４に収容される電装基板（図示せず）を交換することなく、ソーラパネル用電装ボックスを設置することが可能となり、ソーラパネルの発電を利用した環境に優しい電力の供給が行えるものである。
【産業上の利用可能性】
【００３２】
上記の実施例では、ソーラパネルの発電電力を昇圧するＤＣ−ＤＣコンバータ等の電気回路に係る電装部品を備えた電装基板を電装ボックス内に収納するものであるが、空気調和装置の運転制御に係る電装部品を取り付けた電装基板を電装ボックス内に収納する形態にも適用できる。このため、上記形態に限定されず、本発明の技術的範囲を逸脱しない限り種々の空気調和装置に適用可能である。
【図面の簡単な説明】
【００３３】
【図１】本発明の実施形態を示す空気調和装置の室外機の上方にソーラパネルを設置した状態の構成図である。
【図２】同じく、電装ボックス単体の斜視図である。
【図３】同じく、前板を外して電装基板を電装ボックス内にセットする状態を説明する説明図である。
【図４】同じく、電装ボックスを空気調和機の室外機背面に取り付ける状態の分解斜視図である。
【図５】同じく、電装ボックス内の空気の流れを説明する説明図である。
【符号の説明】
【００３４】
１        空気調和装置
２        室内機
３        冷媒配管
４        室外機
４Ａ      室外機のケース本体
５        ソーラパネル
１１      ケース本体の背面
１２      保持具
１５      電装ボックス
１５Ａ    前板
１５Ｂ    背板
１５Ｃ    側板（左方）
１５Ｄ    側板（右方）
１５Ｅ    天板
１５Ｆ    底板
１７      通気孔部
１７Ａ    通気孔
１８      無孔部
１９Ａ    防水壁
１９Ｂ    防水壁
２１      空気調和装置用電装部品
２２      電装基板
２３      防水壁側無孔部
２４      防水壁側通気部
２４Ａ    内側通気孔
【図１】
2007017037.tif 000003
【図２】
2007017037.tif 000004
【図３】
2007017037.tif 000005
【図４】
2007017037.tif 000006
【図５】
2007017037.tif 000007